【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
撮像素子から読み出された画像を表示するための画像処理を行う画像処理装置であって、
前記撮像素子から画像を読み出す読み出し部と、
第１の読出モードにて前記読み出し部で読み出された第１の画像と、前記第１の読出モードとは異なる第２の読出モードにて前記読み出し部で読み出された第２の画像とに基づいて表示画像を更新する場合に、前記第１の画像を読み出したときの前記第１の読出モードに応じた強さの処理効果が得られるように前記第１の画像を処理し、前記第２の画像を読み出したときの前記第２の読出モードに応じた強さの処理効果が得られるように前記第２の画像を処理する画像処理部と
を備えることを特徴とする画像処理装置。
【請求項２】
前記第１の読出モードは、第１の読出頻度で前記撮像素子から画像を読み出す読出モードであり、
前記第２の読出モードは、前記第１の読出頻度とは異なる第２の読出頻度で前記撮像素子から画像を読み出す読出モードであり、
前記画像処理部は、前記第１の読出頻度に応じた強さの処理効果が得られるように前記第１の画像を処理し、前記第２の読出頻度に応じた強さの処理効果が得られるように前記第２の画像を処理する
ことを特徴とする請求項１に記載の画像処理装置。
【請求項３】
前記読み出し部は、前記第１の読出モードにて、前記撮像素子上のすべての画素から信号を読み出し、前記第２の読出モードにて、前記撮像素子上の任意の領域に存在する画素のみから信号を読み出す
ことを特徴とする請求項１に記載の画像処理装置。
【請求項４】
前記画像処理部は、前記第１の読出モードにて前記読み出し部で読み出された前記第１の画像上に、前記第２の読出モードにて前記読み出し部で読み出された前記第２の画像を重畳して表示する場合に、前記第１の画像を読み出したときの前記第１の読出モードに応じた強さの処理効果が得られるように前記第１の画像を処理し、前記第２の画像を読み出したときの前記第２の読出モードに応じた強さの処理効果が得られるように前記第２の画像を処理する
ことを特徴とする請求項３に記載の画像処理装置。
【請求項５】
前記第１の読出モードは、第１のスキップ間隔で前記撮像素子から画像を読み出す読出モードであり、
前記第２の読出モードは、前記第１のスキップ間隔とは異なる第２のスキップ間隔で前記撮像素子から画像を読み出す読出モードであり、
前記画像処理部は、前記第１のスキップ間隔に応じた強さの処理効果が得られるように前記第１の画像を処理し、前記第２のスキップ間隔に応じた強さの処理効果が得られるように前記第２の画像を処理する
ことを特徴とする請求項１に記載の画像処理装置。
【請求項６】
前記読み出し部は、前記撮像素子のビット深さの制御、前記撮像素子のバンド数の制御の少なくとも一つを実行する
ことを特徴とする請求項１乃至４のいずれか１項に記載の画像処理装置。
【請求項７】
前記画像処理部は、前記第１の画像を前記第２の画像に対し、画像の彩度を下げる処理、網掛け処理、画像のコントラストを下げる処理、画像の明度を下げる処理、ぼかし処理、モザイク処理の少なくとも一つを行うことを特徴とする請求項１乃至５のいずれか1項に記載の画像処理装置。
【請求項８】
前記画像処理部は、第１の読出領域から前記第１の読出モードにて前記読み出し部で読み出された前記第１の画像と、第２の読出領域から前記第２の読出モードにて前記読み出し部で読み出された前記第２の画像とに基づいて表示画像を更新する場合に、前記第１の画像を読み出したときの前記第１の読出モードに応じた強さの処理効果が得られるように前記第１の画像を処理し、前記第２の画像を読み出したときの前記第２の読出モードに応じた強さの処理効果が得られるように前記第２の画像を処理する
ことを特徴とする請求項１乃至７のいずれか１項に記載の画像処理装置。
【請求項９】
前記画像処理部は、前記読み出し部の読出頻度の高低に応じて、視覚的に区別可能な処理を多段階に行う
ことを特徴とする請求項１乃至３、又は、請求項５乃至８のいずれか１項に記載の画像処理装置。
【請求項１０】
撮像素子から読み出された画像を表示するための画像処理を行う画像処理装置であって、
前記撮像素子から画像を読み出す読み出し部と、
第１の読出モードにて前記読み出し部で読み出された第１の画像と、前記第１の読出モードとは異なる第２の読出モードにて前記読み出し部で読み出された第２の画像とに基づいて表示画像を更新する場合に、更新後の経過時間に応じた強さの処理効果が得られるように前記第１の画像を処理して、前記表示画像を更新する画像処理部と
を備えることを特徴とする画像処理装置。
【請求項１１】
前記画像処理部は、第１の読出モードにて前記読み出し部で読み出された前記第１の画像上に、前記第２の読出モードにて前記読み出し部で読み出された前記第２の画像を重畳して表示する場合に、更新後の経過時間に応じた強さの処理効果が得られるように前記第１の画像を処理して、前記表示画像を更新する
ことを特徴とする請求項１０に記載の画像処理装置。
【請求項１２】
撮像素子から読み出された画像を表示するための画像処理を行う画像処理装置の制御方法であって、
前記撮像素子から画像を読み出す読み出し工程と、
第１の読出モードにて前記読み出し工程で読み出された第１の画像と、第２の読出モードにて前記読み出し工程で読み出された第２の画像とに基づいて表示画像を更新する場合に、前記第１の画像を読み出したときの前記第１の読出モードに応じた強さの処理効果が得られるように前記第１の画像を処理し、前記第２の画像を読み出したときの前記第２の読出モードに応じた強さの処理効果が得られるように前記第２の画像を処理する画像処理工程と
を備えることを特徴とする画像処理装置の制御方法。
【請求項１３】
撮像素子から読み出された画像を表示するための画像処理を行う画像処理装置の制御方法であって、
前記撮像素子から画像を読み出す読み出し工程と、
第１の読出モードにて前記読み出し工程で読み出された第１の画像と、第２の読出モードにて前記読み出し工程で読み出された第２の画像とに基づいて表示画像を更新する場合に、更新後の経過時間に応じた強さの処理効果が得られるように前記第１の画像を処理して、前記表示画像を更新する画像処理工程と
を備えることを特徴とする画像処理装置の制御方法。
【請求項１４】
撮像素子から読み出された画像を表示するための画像処理を行う画像処理装置をコンピュータに機能させるためのプログラムであって、
前記コンピュータを、
前記撮像素子から画像を読み出す読み出し部と、
第１の読出モードにて前記読み出し部で読み出された第１の画像と、第２の読出モードにて前記読み出し部で読み出された第２の画像とに基づいて表示画像を更新する場合に、前記第１の画像を読み出したときの前記第１の読出モードに応じた強さの処理効果が得られるように前記第１の画像を処理し、前記第２の画像を読み出したときの前記第２の読出モードに応じた強さの処理効果が得られるように前記第２の画像を処理する画像処理部と
して機能させることを特徴とするプログラム。
【請求項１５】
撮像素子から読み出された画像を表示するための画像処理を行う画像処理装置をコンピュータに機能させるためのプログラムであって、
前記コンピュータを、
前記撮像素子から画像を読み出す読み出し部と、
第１の読出モードにて前記読み出し部で読み出された第１の画像と、第２の読出モードにて前記読み出し部で読み出された第２の画像とに基づいて表示画像を更新する場合に、更新後の経過時間に応じた強さの処理効果が得られるように前記第１の画像を処理して、前記表示画像を更新する画像処理部と
して機能させることを特徴とするプログラム。
【手続補正２】
【補正対象書類名】明細書
【補正対象項目名】０００９
【補正方法】変更
【補正の内容】
【０００９】
本発明は上記の課題を解決するためになされたものである。本発明の目的は、読出モードを変更可能な撮像素子から読み出された画像を表示する際、読出モードを視覚的に区別可能な処理を行うことを可能とすることである。
【手続補正３】
【補正対象書類名】明細書
【補正対象項目名】００１０
【補正方法】変更
【補正の内容】
【００１０】
上記の目的を達成するための本発明による画像処理装置は以下の構成を備える。即ち、
撮像素子から読み出された画像を表示するための画像処理を行う画像処理装置であって、
前記撮像素子から画像を読み出す読み出し部と、
第１の読出モードにて前記読み出し部で読み出された第１の画像と、前記第１の読出モードとは異なる第２の読出モードにて前記読み出し部で読み出された第２の画像とに基づいて表示画像を更新する場合に、前記第１の画像を読み出したときの前記第１の読出モードに応じた強さの処理効果が得られるように前記第１の画像を処理し、前記第２の画像を読み出したときの前記第２の読出モードに応じた強さの処理効果が得られるように前記第２の画像を処理する画像処理部と
を備える。
【手続補正４】
【補正対象書類名】明細書
【補正対象項目名】００１１
【補正方法】変更
【補正の内容】
【００１１】
本発明によれば、読出モードを変更可能な撮像素子から読み出された画像を表示する際、読出モードを視覚的に表現可能な画像表示を行うことができる。